(57)【要約】【課題】高層ビル等の建物内に入居するテナント等の内部情報を、利用者に分かり易く案内表示可能な建物情報案内装置および方法を提供する。【解決手段】地図データ中の高層ビル等の建物を指定し、その高層ビル内のテナント等の詳細情報を選択された建物の近傍に表示する。高層ビル等の建物情報は、建物データベース１４内に、階毎に登録され、利用者が制御装置１８により指定することにより、例えば高層階、中層階又は低層階毎に表示される。【選択図】図３
2005201919.tif 000002
【特許請求の範囲】
【請求項１】
選択された地域にある建物の中から目的とする建物を選択指定して、該指定された建物内のテナント等の情報を表示する建物情報案内装置において、
前記指定された建物が高層であるか否かを判断する手段と、前記高層建物の内部情報を複数の層階毎にグループ分けして表示する表示手段とを備えることを特徴とする建物情報案内装置。
【請求項２】
前記表示手段は、前記高層建物を高層階、中層階および低層階の３段階にグループ分けして前記表示手段に表示することを特徴とする請求項１に記載の建物情報案内装置。
【請求項３】
前記高層建物の選択指定されたグループの層階は、異なる色等で強調表示されることを特徴とする請求項１又は２に記載の建物情報案内装置。
【請求項４】
前記建物の内部情報は、前記表示手段に前記建物の３Ｄ表示と共に前記建物の近傍に表示されることを特徴とする請求項１、２又は３に記載の建物情報案内装置。
【請求項５】
前記表示手段には、前記指定された建物を手前に表示することを特徴とする請求項１、２、３又は４に記載の建物情報案内装置。
【請求項６】
選択された地域にある建物の中から目的とする建物を指定して、該指定された建物内のテナント等の情報を表示する建物情報案内方法において、
地図データを表示手段に表示して前記目的とする建物を指定することと、該目的とする建物を前記表示手段に３次元表示することと、前記３次元表示された建物を複数の層階にグループ分けして希望するグループを選択することと、前記建物の選択された層階グループの内部情報を前記表示手段に表示することとよりなることを特徴とする建物情報案内方法。
【請求項７】
前記建物の選択された層階グループは、表示色を異ならせて強調表示されることを特徴とする請求項６に記載の建物情報案内方法。
【請求項８】
前記選択された層階グループの内部情報は、前記建物の前記選択された層階グループの近傍に表示されることを特徴とする請求項６又は７に記載の建物情報案内方法。
【発明の詳細な説明】
【技術分野】
【０００１】
本発明は建物（ビル）情報案内装置および方法に関し、特に選択された地域にある複数の建物から目的とする建物を選択指定して、その建物内のテナントや施設等の情報を利用者に分かり易く表示する建物情報案内装置および方法に関する。
【背景技術】
【０００２】
市街地、特にその商業地域や駅前等の交通アクセスの利便性のよい地域には多数の建物が建てられている。これらの建物内のテナントや施設等の情報を利用者に案内する必要がある。特に、最近では土地の有効利用のために、建物は益々高層化しており、一部の高層ビルは６０階〜７０階の高層ビルである。斯かる高層ビル群が、例えば交通アクセスの便利な特定の地域に隣接して建てられている。
【０００３】
これらの高層ビルの多くは、ホテル、マンション、レストラン、小売店舗および病院等の単一の施設ではなく、例えば地階から５階までは店舗（ショッピングセンター）、６階から２５階までオフィスビル、２６階から３５階までホテル、３６階から４０階までがレストランの如く複合施設として利用されている。更に、これら店舗、オフィスおよびレストランも、それぞれ単一の店舗、会社およびレストランではなく、階毎に経営者や名称の異なる店舗、会社およびレストランであるのが一般的である。そして、大型の高層ビルの場合には、同じ階を複数の店舗や会社で共同使用する場合もまれではない。
【０００４】
このような高層ビル又は高層ビル群がある地域をビジネスのため又は顧客として訪問又は利用するには、それらの建物の所在地やアクセスおよび周囲の情報と共にその建物の内部情報を事前に取得して出かけるのが効率的である。そのために、建物情報案内装置又は建物情報案内サービスが必要である。
【０００５】
斯かる建物情報サービスに関する従来技術は、多くの文献に開示されている。建造物（又は建物）の外形、電話番号や名称を入力することにより、目的地点の建物を検索してその建物を表示装置に立体（３Ｄ）表示すると共にそのテナント等の詳細情報を表示する建造物形状地図による情報案内装置が開示されている（例えば、特許文献１参照。）。また、建物の何階に目的施設が存在するかを、地図情報と共に建物の立体表示をディスプレイ画面に表示するナビゲーション装置における所在階数表示方法が開示されている（例えば、特許文献２参照。）。
【特許文献１】特開平１１−３０９５２号公報（第６頁、第１６図）
【特許文献２】特開平１１−６５４２８号公報（第４頁、第１図）
【発明の開示】
【発明が解決しようとする課題】
【０００６】
上述の如き従来技術は、次のような課題を有する。即ち、特許文献１に開示する情報案内装置では、指定された建物の３Ｄ表示と共にその詳細内部情報、即ちテナントをあいうえお順等に、例えば表示画面の右半分と左半分に分割して表示する。しかし、隣接する建物群との地理的な関係が十分詳細に表示されず、更に高層ビルの場合には、内部情報を利用者に分かり易く表示することが困難である。また、特許文献２の場合には、目的の建物と周囲の地理的な関係は表示されるが、建物内の詳細情報を利用者に分かり易く表示することが困難である。
【０００７】
本発明は、従来技術の上述した課題に鑑みなされたものであり、多数の建物群と周囲の建物との地理的関係と共にその建物の内部情報を利用者に分かり易く表示可能な建物情報案内装置および方法を提供することを目的とする。
【課題を解決するための手段】
【０００８】
前述の課題を解決するため本発明による建物情報案内装置および方法は、次の様な特徴的な構成を採用している。
【０００９】
（１）選択された地域にある建物の中から目的とする建物を選択指定して、該指定された建物内のテナント等の情報を表示する建物情報案内装置において、
前記指定された建物が高層であるか否かを判断する手段と、前記高層建物の内部情報を複数の層階毎にグループ分けして表示する表示手段とを備える建物情報案内装置。
【００１０】
（２）前記表示手段は、前記高層建物を高層階、中層階および低層階の３段階にグループ分けして前記表示手段に表示する上記（１）に記載の建物情報案内装置。
【００１１】
（３）前記高層建物の選択指定されたグループの層階は、異なる色等で強調表示される上記（１）又は（２）に記載の建物情報案内装置。
【００１２】
（４）前記建物の内部情報は、前記表示手段に前記建物の３Ｄ表示と共に前記建物の近傍に表示される上記（１）、（２）又は（３）に記載の建物情報案内装置。
【００１３】
（５）前記表示手段には、前記指定された建物を手前に表示する上記（１）、（２）、（３）又は（４）に記載の建物情報案内装置。
【００１４】
（６）選択された地域にある建物の中から目的とする建物を指定して、該指定された建物内のテナント等の情報を表示する建物情報案内方法において、
地図データを表示手段に表示して前記目的とする建物を指定することと、該目的とする建物を前記表示手段に３次元表示することと、前記３次元表示された建物を複数の層階にグループ分けして希望するグループを選択することと、前記建物の選択された層階グループの内部情報を前記表示手段に表示することとよりなる建物情報案内方法。
【００１５】
（７）前記建物の選択された層階グループは、表示色を異ならせて強調表示される上記（６）に記載の建物情報案内方法。
【００１６】
（８）前記選択された層階グループの内部情報は、前記建物の前記選択された層階グループの近傍に表示される上記（６）又は（７）に記載の建物情報案内方法。
【発明の効果】
【００１７】
本発明の建物情報案内装置および方法によると、特に高層化した建物であっても、利用者にその詳細内容を分かり易く表示することが可能である。また、利用者が目的とする建物を、地図データから迅速に検索可能である。
【実施例１】
【００１８】
以下、本発明による建物情報案内装置および方法の好適実施例の構成および動作を、添付図面を参照して、詳細に説明する。
【００１９】
先ず、図１は、本発明による建物情報案内装置の好適実施例の全体構成を示すブロック図である。この建物情報案内装置１０は、地図データベース１２、建物データベース１４、図形表示装置１６および制御装置１８により構成される。
【００２０】
制御装置１８により目的とする建物の存在する地域を指定すると、その地域の地図データを地図データベース１２から取得して、例えば液晶表示パネル等を備えたパーソナルコンピュータ（ＰＣ）やアークステーションである図形表示装置１６に表示する。図形表示装置１６に表示された地図データから、マウスその他の手段により目的の場所を指定すると、その場所の建物（およびそれを含む周辺の建物）の３次元（３Ｄ）画像が、その建物の詳細な内部情報と共に建物データベース１４から取り込まれて表示装置１６に３Ｄ表示される。
【００２１】
この建物等データベース１４には、その建物の階毎にデータが登録されている。そこで、利用者は、指定された建物の階毎の詳細情報を図形表示装置１６に表示することが可能である。また、利用者は、例えば３０階建ての高層ビルの場合には、１〜９階の低層階、１０〜１９階の中層階および２０〜３０階の高層階の３つの層階グループ分けして、図形表示装置１６に表示された建物の層階を選択指定して、例えば高層階のみ、中層階のみ、低層階のみ又はこれらの全ての層階の詳細情報を、表示された建物に沿って選択的又は一括して表示可能にする。
【００２２】
一般的な２次元の地図データでは、そこに建つ建物が低層であるか高層であるかに無関係にその敷地面積に応じたスペースしか得られないので、そこに建つ建物の内部情報を効果的に、即ち利用者に分かり易く表示することは困難又は不可能である。しかし、本発明の建物情報案内装置１０によると、高層の建物は低層の建物よりも長く表示されるので、その内部情報を表示するための十分なスペースを確保可能である。
【００２３】
次に、図２のフローチャートを参照して、本発明による建物情報表示装置１０の建物案内サービスの詳細動作を説明する。利用者が図１に示す制御装置１８を操作して、目的の建物を含む地域の地図と共に建物を図形表示装置に表示する（ステップＳ１）。この表示は、予め地図データベース１２からの２次元地図情報を表示し、この地図情報に基づき建物の所在地を確認し、その後に目的とする建物を含む建物群の３Ｄ表示を行ってもよい。
【００２４】
次に、利用者は、マウス等により目的とする建物を指定する（ステップＳ２）。ここで、指定された建物が最も見易いように表示画面の最も手前に表示されるのが好ましい。次に、指定された建物が高層ビルか否か判断する（ステップＳ３）。高層ビルでない場合には、その内容である建物名、会社名、店舗名又はテナント名等を表示（ステップＳ５）して、案内サービスを終了する。一方、高層ビルの場合には、利用者は表示された高層ビルの任意の場所、例えば高層階部、中層階部又は低層階部の付近をクリックすることにより選択指定する（ステップＳ４）。そして、その層階の詳細内容であるテナント等を表示する（ステップＳ５）。尚、利用者は、建物データベース１４には、上述の如く階毎の建物の内部データが登録されているので、キーボード等により特定の階を入力して、その階の詳細情報を表示してもよい。
【００２５】
上述の如く、本発明の建物情報案内装置１０によると、従来行なわれてきた２次元地図を使用する地図案内を、３次元データを使用するものに置き換えることで、より一層高い視覚的効果を得ることを目指したものである。本発明による建物情報案内装置を、従来の技法と比較すると、次のメリットがある。
【００２６】
地図内のある建物（ビル）をクリックすると、その建物に入居しているテナント等の情報が見られるといった属性情報とのリンクに関して、高層ビル等の非常に多数のテナントが入っている場合には、従来の２次元地図を使用すると、全てのテナントの情報が表示され非常に見づらいものになった。しかし、本発明では３次元データを使用することで、階毎にテナント情報を分けて登録し、それを３次元データ上で階数毎に分類して表示可能であるため、非常に整理された、即ち分かり易い情報提供が可能である。
【００２７】
また、例えば建物の高層階にあるテナントを見たいといった要望に対しても、３次元で表現されたビルの高層階付近をクリックすれば、その層階のテナント情報を表示可能であるので、利用者（ユーザ）は、直感的な情報検索が可能である。このように、建物の高さ情報を加えた情報管理を行ない、３次元データを使用して情報提供することで、従来に比較して格段に改善された建物情報案内サービスを提供可能である。
【００２８】
次に、図３を参照して本発明による建物情報案内装置の具体例を説明する。各建物に属するテナントの情報は、建物データベース１４に住所や連絡先の他に階数もその属性情報として登録されている。
【００２９】
図３の中央に位置する建物（高層ビル）に関するテナント情報は、そのビルの高層階、中層階および低層階と３層階にグループ分けされている。そこで、３次元地図データ上で利用者が制御装置１８のマウスやキーボード等により、例えば高層階付近をクリックしたと仮定する。すると、この高層ビルの選択された部分（例えば、２０階から３０階）が異なる色（例えば、赤色）で強調表示される。そして、この高層ビルの高層階に含まれるテナントのみが、その近傍（例えば、直ぐ右側）に文字により表示される。図３に示す具体例では、ＡＡＡＡ会社（３０階）、ＢＢＢＢ商事（２９階）、・・・、ＣＣＣＣ企画（２２階）、・・・、ＤＤＤＤ運輸（２０階）の如く、高層階のテナントが階毎に、高層ビルの高層階の近傍に表示される。
【００３０】
同様に、利用者が中層階をクリックすると、その部分が例えば緑色で強調表示される。そして、その建物の中層階に含まれるテナント情報のみが、その高層ビルの中層階の近傍に表示される。例えば、図３の具体例では、ＥＥＥＥ会社（１９階）、ＦＦＦＦ商事（１９階）、・・・、ＧＧＧＧ企画（１５階）、・・・、ＨＨＨＨ運輸（１０階）の如く、高層ビルの中層階に近傍に表示される。また、この高層ビルの低層階のテナントについても同様である。このように、高さ情報を使用する情報検索を、３次元データを使用して直感的に行なえることが本発明の最大の特徴である。
【００３１】
以上、本発明による建物情報案内装置および方法の好適実施例の構成および動作を詳述した。しかし、斯かる実施例は、本発明の単なる例示に過ぎず、何ら本発明を限定するものではないことに留意されたい。本発明の要旨を逸脱することなく、特定用途に応じて種々の変形変更が可能であること、当業者には容易に理解できよう。例えば、高層建物の層階グループ分けは、必ずしも３段階である必要はない。利用者の分かり易さを考慮して、建物の階数に応じて、１つのグループが１０〜２０階となるように選択するのが好ましい。
【図面の簡単な説明】
【００３２】
【図１】本発明による建物情報案内装置の全体構成を示すブロック図である。
【図２】本発明による建物情報案内装置の動作を説明するフローチャートである。
【図３】本発明の建物情報案内装置による案内表示の具体例を示す図である。
【符号の説明】
【００３３】
１０  建物情報案内装置
１２  地図データベース
１４  建物データベース
１６  図形表示装置（表示手段）
１８  制御装置
【図１】
2005201919.tif 000003
【図２】
2005201919.tif 000004
【図３】
2005201919.tif 000005